(57)【要約】【課題】蓄積した塵埃の量を判り易いように視認性を向上させるとともに、集塵部の着脱性を向上させた使い勝手の良い電気掃除機を提供することを目的とする。【解決手段】掃除機本体１０に内蔵され吸引風を発する電動送風機１１と、前記電動送風機１１の後方に配置されかつ掃除機本体１０の後方外郭部の少なくとも一部を形成する略円筒形の集塵部１４を有し、前記集塵部１４の底面が前記掃除機本体１０に形成され前方降り方向に傾斜した受け部２５に着脱自在に支持されてなるもので、集塵部１４に塵埃が蓄積された状態が外部から容易に視認できる。【選択図】　図５
2004016384.tif 000002
【特許請求の範囲】
【請求項１】
掃除機本体に内蔵され吸引風を発する電動送風機と、前記電動送風機の後方に配置されかつ掃除機本体の後方外郭部の少なくとも一部を形成する略円筒形の集塵部を有し、前記集塵部の底面が前記掃除機本体に形成され前方降り方向に傾斜した受け部に着脱自在に支持されてなる電気掃除機。
【請求項２】
集塵部は、透明または半透明の材料にて形成されてなる請求項１項記載の電気掃除機。
【請求項３】
受け部は、掃除機本体の後方を形成する立壁面と一体形成されてなる請求項１または２記載の電気掃除機。
【請求項４】
受け部と集塵部のそれぞれに、突起または前記突起が挿入する溝を設けてなる請求項１〜３のいずれか１項に記載の電気掃除機。
【請求項５】
突起は、受け部の略中央に設けられ、集塵部の挿入方向に向かうにつれて幅が広く、上方に向かうにつれて幅の狭い、断面略台形状に形成されてなる請求項４記載の電気掃除機。
【請求項６】
溝は、集塵部の底面に設けられ、集塵部の挿入方向に向かうにつれて幅が広く、上方に向かうにつれて幅の狭い、断面略台形状に形成されてなるとともに、前記溝の最大幅は前記溝の最小幅より２倍以上有してなる請求項４または５記載の電気掃除機。
【請求項７】
受け部の最下点近傍に、掃除機本体の下面外郭に連通する開口を設けてなる請求項１〜６のいずれか１項に記載の電気掃除機。
【請求項８】
集塵部は下容器と上蓋にて構成され、電動送風機に電源を供給するコードリールを有するコードリール室と受け部との間に前記集塵部は支持されるとともに、前記下容器と前記上蓋の重ね合わせ代（Ｈ）は、前記コードリール室と前記受け部との間の高さ（Ｌ）から集塵部の高さ（ｈ）を差し引いた値よりも大きく設定してなる請求項１〜７のいずれか１項に記載の電気掃除機。
【請求項９】
集塵部は、下容器と上蓋の重ね合せだけで係合してなる請求項８項記載の電気掃除機。
【請求項１０】
集塵部に、把手と前記把手から延設した位置に尾錠を設け、前記尾錠をコードリール室に係止して集塵部を固定してなる請求項８または９項記載の電気掃除機。
【発明の詳細な説明】
【０００１】
【発明の属する技術分野】
本発明は、一般家庭で使用される電気掃除機に関するものである。
【０００２】
【従来の技術】
従来のこの種の電気掃除機は特公昭６２―１５２０７号公報に記載されているようなものが一般的であった。この電気掃除機を図１２を用いて説明する。
【０００３】
図９において、１は塵埃を吸引するための電動送風機２を内蔵し、塵埃を吸引する吸込具（図示せず）を連通した掃除機本体であり、電動送風機２は、この掃除機本体１の後方に配設されている。掃除機本体１の前方には、微細な塵埃捕集用のメインフィルター３と、粗い塵埃を捕集するためのプレフィルター４が設けられた集塵部５が設けられていて、この集塵部５は前記掃除機本体１と着脱自在に構成されている。集塵部５前方には塵埃を取込む吸気孔６が備えられている。前記掃除機本体１の後方両側面に移動用車輪７が備えられ、前記掃除機本体１の底面前方で、集塵部５の下方に移動用キャスター８が設けられていた。
【０００４】
【発明が解決しようとする課題】
しかしながら上記従来の電気掃除機の構成では、吸引された塵埃は吸気孔６を通って集塵部５の底部に蓄積されていくが、集塵部５は掃除機本体１の略中央部に位置し蓄積した塵埃の量が判り難いという問題があった。
【０００５】
また、集塵部５を着脱する時に、集塵部５の前方に位置される吸気孔６と連通される吸込具及びホース等の付属部品が使用者の妨げになり手間がかかるという問題点もあった。
【０００６】
本発明は、上記課題を解決するもので、蓄積した塵埃の量を判り易いように視認性を向上させるとともに、集塵部の着脱性を向上させた使い勝手の良い電気掃除機を提供することを目的とする。
【０００７】
【課題を解決するための手段】
上記課題を解決するために本発明は、掃除機本体に内蔵され吸引風を発する電動送風機と、前記電動送風機の後方に配置されかつ掃除機本体の後方外郭部の少なくとも一部を形成する略円筒形の集塵部を有し、前記集塵部の底面が前記掃除機本体に形成され前方降り方向に傾斜した受け部に着脱自在に支持されてなるものである。
【０００８】
上記発明によれば、集塵部の位置が掃除機本体の後方で上方を前方に傾斜して略円筒形の集塵部を着脱自在に備えた為、集塵部に塵埃が蓄積された状態が外部から容易に視認できる。
【０００９】
また、集塵部の位置が掃除機本体の後方にある為、集塵部を着脱する時に、集塵部の前方に位置される吸気孔と連通される集塵用ホース等の付属部品が使用者の妨げになることなく、集塵部の着脱動作を容易にすることができる。
【００１０】
【発明の実施の形態】
本発明の請求項１記載の発明は、掃除機本体に内蔵され吸引風を発する電動送風機と、前記電動送風機の後方に配置されかつ掃除機本体の後方外郭部の少なくとも一部を形成する略円筒形の集塵部を有し、前記集塵部の底面が前記掃除機本体に形成され前方降り方向に傾斜した受け部に着脱自在に支持されてなるもので、集塵部に塵埃が蓄積された状態が外部から容易に視認できる。
【００１１】
さらに着脱自在の集塵部は、集塵用ホースと接続される吸気孔と反対側にある為、集塵用ホースによる妨げなく使い勝手が良く着脱できることが可能となる。
【００１２】
本発明の請求項２記載の発明は、集塵部を透明または半透明の材料にて形成したことにより、内部の塵埃の量は容易に視認でき、且つ、塵埃の汚さをマスキングする事が出来る。
【００１３】
本発明の請求項３記載の発明は、受け部は、掃除機本体の後方を形成する立壁面と一体形成されてなるもので、集塵部の着脱が更に容易に出来る。
【００１４】
本発明の請求項４記載の発明は、受け部と集塵部のそれぞれに、突起または前記突起が挿入する溝を設けてなるもので、集塵部の位置決めをしっかりとした装着が出来る。
【００１５】
本発明の請求項５記載の発明は、突起は、受け部の略中央に設けられ、集塵部の挿入方向に向かうにつれて幅が広く、上方に向かうにつれて幅の狭い、断面略台形状に形成されてなるもので、集塵部をセットするときには幅の狭い突起に対して幅の広い集塵部の底面で合わせるため位置を合わせるのが容易で、集塵部を押込んで行くに従って自動的に位置決めが行える利便性がある。
【００１６】
本発明の請求項６記載の発明は、溝は、集塵部の底面に設けられ、集塵部の挿入方向に向かうにつれて幅が広く、上方に向かうにつれて幅の狭い、断面略台形状に形成されてなるとともに、前記溝の最大幅は前記溝の最小幅より２倍以上有してなるもので、請求項５記載の内容を更に便利にした物である。
【００１７】
本発明の請求項７記載の発明は、受け部の最下点近傍に、掃除機本体の下面外郭に連通する開口を設けてなるもので、万一前記受け部に塵埃が脱落したとしてもこの開口より機外に排出され、受け部と集塵部の間でかみ込んで操作性を損なうという問題を防止できる。
【００１８】
本発明の請求項８記載の発明は、集塵部は下容器と上蓋にて構成され、電動送風機に電源を供給するコードリールを有するコードリール室と受け部との間に前記集塵部は支持されるとともに、前記下容器と前記上蓋の重ね合わせ代（Ｈ）は、前記コードリール室と前記受け部との間の高さ（Ｌ）から集塵部の高さ（ｈ）を差し引いた値よりも大きく設定してなるもので、集塵部が本体に装着状態の時には集塵部の下容器と上蓋は絶対に分離することがない為、合わせ部からのゴミこぼれを完全に防止できる。
【００１９】
本発明の請求項９記載の発明は、集塵部は、下容器と上蓋の重ね合せだけで係合してなるもので、上蓋の着脱は極めて容易である。
【００２０】
本発明の請求項１０記載の発明は、集塵部に、把手と前記把手から延設した位置に尾錠を設け、前記尾錠をコードリール室に係止して集塵部を固定してなるもので、把手の握りと一連の動作で親指で尾錠操作が行え集塵部の着脱が行える。
【００２１】
【実施例】
以下本発明の一実施例について、図１〜８を用いて説明する。
【００２２】
図１は、本発明の一実施例を示す掃除機本体の上方平面図であり、図２は、その部分断面外側面図であり、図３は掃除機本体を後方から見た背面図である。図４は、掃除機本体の側断面図であり、図５は、吸気通路を示す図１のＡ−Ａ断面図である。図６は、掃除機本体の吸気通路を含む水平方向の断面図であり、図７は、掃除機本体の後方の部分構想図であり、図８は集塵部の下方平面図である。
【００２３】
図１〜８において、掃除機本体１０は、塵埃を吸引するための電動送風機１１を内蔵し、塵埃を吸引する集塵用ホース１２と連通されている。
【００２４】
図５に示すように、集塵用ホース１２は電動送風機１１の前方で、かつ、掃除機本体１０の前方に配設された吸気孔１３と着脱自在に係止されている。電動送風機１１の後方には、塵埃を蓄積させる透明または半透明で略円筒形状でかつ掃除機本体１０の後方外郭部の少なくとも一部を形成する集塵部１４が掃除機本体１０から延接された受け部２５とコードリール室２１の下面との間に、着脱自在に配設されている。また、前記受け部２５は前方（電動送風機１１方向で集塵部１４の挿入方向）に降り方向に傾斜しており、かつ前記受け部１４の最下点近傍には前記掃除機本体１０の下面外郭に連通する開口２６が設けられている。
【００２５】
図７に示すように、受け部２５には前記集塵部１４の装着をガイドする突起３２と、前記集塵部１４には本突起３２に対応した溝３３を設けており、集塵部１４の位置決めをするようにしている。尚、ガイド用の突起３２は前記受け部２５の略中央に前方（集塵部１４の挿入方向）ほど幅の広いテーパ状で、上方ほど幅の狭い断面略台形状に形成しており、前記集塵部１４の底面には前記突起３２にわずかの隙間を設けて対応した溝３３を形成している。更に、図８に示すように、集塵部１４の底面の溝３３は、集塵部１４の挿入方向に向かうにつれて幅が広く、上方に向かうにつれて幅の狭い、断面略台形状に形成されてなるとともに、前記溝３３の最大幅は前記溝の最小幅より２倍以上有している。
【００２６】
さらに、図７に示すように、集塵部１４は下容器１４ａと上蓋１４ｂにて構成し下容器１４ａと上蓋１４ｂの重ね合わせ代（Ｈ）は、前記コードリール室２１の下面と前記受け部２５との間の寸法（Ｌ）から集塵部１４の高さ（ｈ）を差し引いた値よりも大きく設定している。
【００２７】
そして集塵部１４の下容器１４ａと上蓋１４ｂの重ね合せは、挿入だけで係合している。
【００２８】
また、図８に示すように、集塵部１４には把手２７が設けられており、把手２７から延設した位置に尾錠２８を設けこの尾錠２８を前記コードリール室２１下面に係止して集塵部１４を固定している。掃除機本体１０の前方下面には移動用キャスター１８が枢支されており、掃除機本体１１の後方両側面には、一対の移動用車輪１９が回転自在に備えられている。
【００２９】
上記構成において動作、作用を説明する。
【００３０】
図５において、電動送風機１１を運転すると、塵埃は吸気孔１３から第１連通口１５を介して電動送風機１１の後方で且つ掃除機本体１０の後方に設けられた略円筒形状の集塵部１４に連通し、集塵部１４に設けられたフィルター１６によって塵埃と空気に分離される。
【００３１】
塵埃は集塵部１４に蓄積され、またフィルター１６を通りぬけた空気は、第２連通口１７を介して、電動送風機１１に連通される。
【００３２】
集塵部１４は、コードリール室２１の下部に上方を前方に傾斜して透明または半透明の略円筒形で着脱自在に備えられている為、集塵部１４に塵埃が蓄積された状態が外部から容易に汚さをマスキングした状態で視認できる。
【００３３】
また、集塵部１４の位置が掃除機本体１０の後方にある為、集塵部１４を着脱する時に集塵部１４の前方に位置される吸気孔１３と連通される集塵用ホース１２等の付属部品が使用者の妨げになることなく、集塵部１４の着脱動作を容易にすることができる。尚、前記受け部２５は前下がりに傾斜して前記掃除機本体１０後方の壁面に接続されているため集塵部１４の着脱が更に容易に出来る。
【００３４】
また、受け部２５には前記集塵部１４の装着をガイドする突起３２と、前記集塵部１４には本突起３２に対応した溝３３を設けたため、集塵部１４の位置決めをしっかりとした装着が出来る。尚、ガイド用の突起３２は前記受け部２５の略中央に前方（集塵部１４の挿入方向）ほど幅の広いテーパ状で、上方ほど幅の狭い断面略台形状に形成され、前記集塵部１４の底面には前記突起３２にわずかの隙間を設けて対応した溝を形成したため、集塵部１４をセットするときには幅の狭い突起３２に対して幅の広い集塵部１４の底面で合わせるため位置をひらうのが容易で、集塵部１４を押込んで行くに従って自動的に位置決めが行える利便性がある。
【００３５】
更に、集塵部１４の底面の溝は、集塵部１４の挿入方向に向かうにつれて幅が広く、上方に向かうにつれて幅の狭い、断面略台形状に形成されてなるとともに、前記溝３３の最大幅は前記溝の最小幅より２倍以上有しているため、更に容易に集塵部１４をセット出来る訳である。
【００３６】
受け部１４の最下点近傍に、掃除機本体１０の下面外郭に連通する開口２６を設けた事により、万一前記受け部２５に塵埃が脱落したとしてもこの開口２６より機外に排出され、受け部２５と集塵部１４の間でかみ込んで操作性を損なうという問題を防止できる。
【００３７】
集塵部１４には把手２７が設けられており、把手２７から延設した位置に尾錠２８を設け尾錠バネ２９によってこの尾錠２８の突出部３０が前記コードリール室２１下面の凹み部３１に係止して集塵部１４を固定しているので把手の握りと一連の動作で親指で尾錠操作が行え集塵部１４の着脱が行える。
【００３８】
【発明の効果】
以上のように本発明によれば、蓄積した塵埃の量を判り易いように視認性を向上させるとともに、集塵部の着脱性を向上させた使い勝手の良い電気掃除機を提供できる。
【図面の簡単な説明】
【図１】本発明の一実施例における掃除機本体の上方平面図
【図２】同掃除機本体の部分断面外側面図
【図３】同掃除機本体の背面図
【図４】同掃除機本体の側断面図
【図５】図１のＡ−Ａ断面図
【図６】同掃除機本体の吸気通路を含む水平方向の断面図
【図７】同掃除機本体の後方の部分構想図
【図８】同集塵部の下方平面図
【図９】従来の掃除機本体の側断面図
【符号の説明】
１０　掃除機本体
１１　電動送風機
１４　集塵部
２５　受け部
【図１】
2004016384.tif 000003
【図２】
2004016384.tif 000004
【図３】
2004016384.tif 000005
【図４】
2004016384.tif 000006
【図５】
2004016384.tif 000007
【図６】
2004016384.tif 000008
【図７】
2004016384.tif 000009
【図８】
2004016384.tif 000010
【図９】
2004016384.tif 000011